(57)【要約】  バッテリアセンブリは、周縁部に囲まれた上面を有するバッテリと、上面に取り付けられた取り外し可能タブとを含む。取り外し可能タブは、第１のタブ端部および反対側に配置された第２のタブ端部と、第１のタブ端部に隣接して配置された把持領域と、第２のタブ端部に隣接して配置され、バッテリの上面に取り付けられている電池取り付け領域とを含む。電池取り付け領域は、対向して配置された第１の側壁および第２の側壁を有し、第１の側壁および第２の側壁の少なくとも一方は、バッテリの周縁部から外方へと内側に湾曲し、結果、バッテリの上面の一部分が側壁とバッテリの周縁部との間に露出する。【特許請求の範囲】
【請求項１】
バッテリアセンブリであって、
周縁部に囲まれた上面を備えるバッテリと、
前記上面に取り付けられた取り外し可能タブと
を備え、前記取り外し可能タブは、
第１のタブ端部および反対側に配置された第２のタブ端部と、
前記第１のタブ端部に隣接して配置された把持領域と、
前記第２のタブ端部に隣接して配置され、前記バッテリの前記上面に取り付けられている電池取り付け領域と
を備え、前記電池取り付け領域は、対向して配置された第１の側壁および第２の側壁を有し、前記第１の側壁および前記第２の側壁の少なくとも一方は、前記バッテリの前記周縁部から外方へと内側に配置され、結果、前記バッテリの前記上面の一部分が前記側壁と前記バッテリの前記周縁部との間に露出する、バッテリアセンブリ。
【請求項２】
前記バッテリの前記上面の約５％〜約７５％が露出し、前記上面の残りの部分は前記取り外し可能タブで覆われている、請求項１に記載のバッテリアセンブリ。
【請求項３】
前記第１の側壁および前記第２の側壁のうちの前記少なくとも一方は、前記バッテリの前記周縁部から外方へと内向きに湾曲し、前記第１の側壁および前記第２の側壁のうちの前記少なくとも一方は、約０．１ｍ〜約１０ｍｍの曲率半径を有する、請求項１または２に記載のバッテリアセンブリ。
【請求項４】
前記第１の側壁および前記第２の側壁は両方とも湾曲しており、同じ曲率半径を有する、請求項１から３のいずれか一項に記載のバッテリアセンブリ。
【請求項５】
前記第１の側壁および前記第２の側壁は両方とも湾曲しており、異なる曲率半径を有する、請求項１から３のいずれか一項に記載のバッテリアセンブリ。
【請求項６】
前記把持領域は、約１０ｍｍ〜約３５ｍｍの長さを有する、請求項１から５のいずれか一項に記載のバッテリアセンブリ。
【請求項７】
前記第１の側壁の湾曲の中心点から前記第２の側壁の湾曲の中心点まで延伸する直線によって測定される前記電池取り付け領域の幅が、約０．２ｍｍ〜約１０ｍｍである、請求項１から６のいずれか一項に記載のバッテリアセンブリ。
【請求項８】
前記取り外し可能タブは、約８ｍｍ〜約４０ｍｍの全長を有する、請求項１から７のいずれか一項に記載のバッテリアセンブリ。
【請求項９】
前記取り外し可能タブが、二軸延伸ポリプロピレン、ポリプロピレン、ポリエチレンテレフタレート、二軸延伸ポリエチレンテレフタレート、ポリエステル、ポリオレフィン、ポリエチレン、および共押出体、積層体、および上記の他の組み合わせから成る群から選択される材料を含む、請求項１から８のいずれか一項に記載のバッテリアセンブリ。
【請求項１０】
前記電池取り付け領域と前記バッテリの前記上面との間に配置された接着剤の層をさらに備える、請求項１から９のいずれか一項に記載のバッテリアセンブリ。
【請求項１１】
前記接着剤が前記把持領域へと延伸し、前記把持領域内の前記接着剤がキルテープで覆われている、請求項１０に記載のバッテリアセンブリ。
【請求項１２】
前記タブは、約０．１ｍｍ〜約１ｍｍの厚さを有する、請求項１から１１のいずれか一項に記載のバッテリアセンブリ。
【請求項１３】
前記バッテリが、金属／空気バッテリであり、前記上面内に空気穴を備え、前記電池取り付け領域が前記穴の上に配置され、前記穴を覆う、請求項１から１２のいずれか一項に記載のバッテリアセンブリ。
【請求項１４】
前記金属／空気バッテリが亜鉛／空気ボタン電池である、請求項１３に記載のバッテリアセンブリ。
【請求項１５】
前記側壁の前記湾曲の中心点から前記周縁部まで延伸する直線から測定される、前記第１の側壁および／または前記第２の側壁と前記周縁部との間の距離が、約０．１ｍｍ〜約１０ｍｍである、請求項１から１４のいずれか一項に記載のバッテリアセンブリ。
【請求項１６】
前記電池取り付け領域の一部分が、前記バッテリの前記上面を越えて平行方向に延伸する、請求項１から１５のいずれか一項に記載のバッテリアセンブリ。
【請求項１７】
前記取り外し可能タブの前記把持領域において前記バッテリアセンブリを把持することと、
前記バッテリアセンブリをバッテリコンパートメントに挿入することと、
前記湾曲した側壁と前記周縁部との間に露出した前記バッテリの前記上面の前記部分に圧力を加えながら、前記電池取り付け領域に剥離力を加えることにより、前期取り外し可能タブを取り外すことと
を含む、請求項１から１６のいずれか一項に記載のバッテリアセンブリを使用する方法。
【請求項１８】
圧力がユーザの指先によって加えられる、請求項１７に記載の方法。
【請求項１９】
取り外し可能タブであって、
第１のタブ端部および反対側に配置された第２のタブ端部と、
前記第１のタブ端部に隣接して配置された把持領域と、
前記第２のタブ端部に隣接して配置され、バッテリの上面に取り付けられるように適合されている電池取り付け領域であって、前記電池取り付け領域は、第１の側壁および反対側に配置されている第２の側壁を有し、前記第１の側壁および前記第２の側壁の少なくとも一方は、前記電池取り付け領域が前記バッテリの前記上面に取り付けられているときに、前記バッテリの上面の一部分が露出するように、内側に湾曲している、電池取り付け領域と
を備える、取り外し可能タブ。
【請求項２０】
前記第１の側壁および／または前記第２の側壁は、約０．１ｍｍ〜約１０ｍｍの曲率半径を有する、請求項１９に記載の取り外し可能タブ。
【請求項２１】
前記第１の側壁および前記第２の側壁は両方とも湾曲しており、同じ曲率半径を有する、請求項１９または２０に記載の取り外し可能タブ。
【請求項２２】
前記第１の側壁および前記第２の側壁は両方とも湾曲しており、異なる曲率半径を有する、請求項１９から２１のいずれか一項に記載の取り外し可能タブ。
【請求項２３】
前記把持領域は、約１０ｍｍ〜約３５ｍｍの長さを有する、請求項１９から２２のいずれか一項に記載の取り外し可能タブ。
【請求項２４】
前記第１の側壁の湾曲の中心点から前記第２の側壁の湾曲の中心点まで延伸する直線によって測定される前記電池取り付け領域の幅が、約０．２ｍｍ〜約１０ｍｍである、請求項１９から２３のいずれか一項に記載の取り外し可能タブ。
【請求項２５】
前記取り外し可能タブは、約８ｍｍ〜約４０ｍｍの全長を有する、請求項１９から２４のいずれか一項に記載の取り外し可能タブ。
【請求項２６】
前記取り外し可能タブが、二軸延伸ポリプロピレン、ポリプロピレン、ポリエチレンテレフタレート、二軸延伸ポリエチレンテレフタレート、ポリエステル、ポリオレフィン、ポリエチレン、および共押出体、積層体、および上記の他の組み合わせから成る群から選択される材料を含む、請求項１９から２５のいずれか一項に記載の取り外し可能タブ。
【請求項２７】
電池取り付け領域が、前記電池取り付け領域において前記取り外し可能タブをバッテリに取り付けるための感圧接着剤の層を含む、請求項１９から２６のいずれか一項に記載の取り外し可能タブ。
【請求項２８】
前記感圧接着剤の層は、キルテープで覆われている、請求項１９から２７のいずれか一項に記載の取り外し可能タブ。
【請求項２９】
前記タブが約０．１ｍｍ〜約１ｍｍの厚さを有する、請求項１９から２８のいずれか一項に記載の取り外し可能タブ。
【発明の詳細な説明】
【技術分野】
【０００１】
本開示は、一般に、バッテリのための取り外し可能タブおよびそれを有するバッテリアセンブリに関し、より詳細には、バッテリの上面の一部分の露出を容易にする取り外し可能タブに関する。
【背景技術】
【０００２】
過去１５年にわたって、難聴を患う人の数はほぼ２倍になった。難聴を患っている人の多くは高齢者であり、特に６５歳以降、男性と女性の両方で年齢とともに手の機能が低下する。この手の機能の損失によって、消費者による取り扱いが容易になるようにバッテリに接着される比較的長いタブである、ＥａｓｙＴａｂ（登録商標）（Ｄｕｒａｃｅｌｌ  Ｕ．Ｓ．  Ｏｐｅｒａｔｉｏｎｓ，  Ｉｎｃ．）などのタブを使用しても、補聴器のバッテリを交換することがより困難になる可能性がある。ＥａｓｙＴａｂ（登録商標）などの従来の補聴器タブは、通常、バッテリの上面全体がタブで覆われて接着されるようにバッテリに取り付けられる。比較的長いタブは、消費者による補聴器へのバッテリの挿入を容易にするという事実にもかかわらず、補聴器へのバッテリの挿入は、バッテリおよび関連するタブの頻繁な不用意な落下を含む取り扱いの課題を提示し続け、したがって、特に高齢の消費者にとって、多大な消費者のフラストレーションの原因となり得る。
【発明の概要】
【発明が解決しようとする課題】
【０００３】
本発明は、補聴器内などの所望の位置にバッテリが配置されると、バッテリからのタブの取り外しを容易にするように構造化および構成されたバッテリタブを提供する。
【０００４】
本開示の一実施形態によれば、バッテリアセンブリは、周縁部に囲まれた上面を有するバッテリと、上面に取り付けられた取り外し可能タブとを含む。取り外し可能タブは、第１のタブ端部および反対側に配置された第２のタブ端部と、第１のタブ端部に隣接して配置された把持領域と、第２のタブ端部に隣接して配置され、バッテリの上面に取り付けられている電池取り付け領域とを含む。電池取り付け領域は、対向して配置された第１の側壁および第２の側壁を有し、第１の側壁および第２の側壁の少なくとも一方は、バッテリの周縁部から外方へと内側に配置され、結果、バッテリの上面の一部分が側壁とバッテリの周縁部との間に露出する。
【０００５】
別の実施形態によれば、取り外し可能タブは、第１のタブ端部および反対側に配置された第２のタブ端部と、第１のタブ端部に隣接して配置された把持領域と、第２のタブ端部に隣接して配置され、バッテリの上面に取り付けられている電池取り付け領域とを含む。電池取り付け領域は、対向して配置された第１の側壁および第２の側壁を有し、第１の側壁および第２の側壁の少なくとも一方は、バッテリの周縁部から外方へと内側に配置され、結果、バッテリの上面の一部分が側壁とバッテリの周縁部との間に露出する。
【図面の簡単な説明】
【０００６】
【図１】本開示の一実施形態によるバッテリアセンブリの斜視図である。
【図２】本開示の一実施形態によるバッテリアセンブリの正面図である。
【図３】本開示の一実施形態によるバッテリアセンブリの背面図である。
【図４】本開示の一実施形態によるバッテリアセンブリの側面図である。
【図５】本開示の一実施形態によるバッテリアセンブリの上面図である。
【図６】本開示の一実施形態によるバッテリアセンブリの底面図である。
【図７】本開示の別の実施形態によるバッテリアセンブリの斜視図である。
【図８Ａ】本開示の一実施形態によるバッテリタブの上面図である。
【図８Ｂ】図８Ａのタブの底面図である。
【図９Ａ】本開示の一実施形態によるバッテリタブの上面図である。
【図９Ｂ】図９Ａのタブの底面図である。
【図１０Ａ】タブの様々な寸法を示している、従来のバッテリタブの概略図である。
【図１０Ｂ】タブの様々な寸法を示している、本開示の実施形態によるタブの概略図である。
【発明を実施するための形態】
【０００７】
図１を参照すると、本開示の一実施形態によるバッテリアセンブリ１０は、上面１４を有するバッテリ１２と、バッテリ１２の上面１４に取り付けられた取り外し可能タブ１６とを含む。
【０００８】
本明細書に開示される取り外し可能バッテリタブ１６は、任意の適切なバッテリタイプおよび／またはサイズで利用することができる。例えば、バッテリは補聴器バッテリとすることができる。一態様において、補聴器バッテリは金属／空気バッテリであり、例えば、補聴器バッテリは亜鉛空気ボタン電池とすることができる。さらに、当該技術分野で知られているように、ボタン電池には様々なサイズがある。取り外し可能タブ１６の寸法は、取り付けられるバッテリのサイズに応じて調整することができる。そのような調整は、タブのバッテリ取り付け領域の幅および／または長さの変更を含むことができる。付加的にまたは代替的に、バッテリサイズに応じて、必要に応じてタブ全体の長さを調整することができる。本開示の実施形態によれば、バッテリおよび取り外し可能タブを含むバッテリアセンブリが提供される。他の実施形態によれば、バッテリへのその後の取り付けのために、取り外し可能タブが提供される。
【０００９】
図１を参照すると、バッテリ１２は、周縁部１５によって囲まれた上面１４を含む。取り外し可能タブ１６は、第１のタブ端部１８および反対側に配置された第２のタブ端部２０を含む。取り外し可能タブ１６は、第１のタブ端部１８に隣接して配置された把持領域２２と、第２のタブ端部２０に隣接して配置された電池取り付け領域２４とを含む。把持領域２２は、電池取り付け領域２４と同一の広がりを有しない、取り外し可能タブ１６の一部分である。より具体的には、把持領域２２は、バッテリ１２の第１の表面１４と同一の広がりを有する取り外し可能タブのいかなる部分とも重なり合わない。電池取り付け領域２４は、バッテリ１２の上面１４に取り付けられるか、取り付けられるように適合されている。タブ１６の電池取り付け領域２４は、対向して配置された第１の側壁２６および第２の側壁２８を含むことができる。側壁２６、２８のうちの少なくとも一方は、バッテリ１２の周縁部１５から内側に配置され、結果、バッテリの上面１４の一部分３０がタブ１６の縁部２６、２８、２９とバッテリ１２の周縁部１５との間に露出する。図示の実施形態において、両方の側壁２６、２８は、バッテリ１２の周縁部１５から内側に湾曲し、結果、バッテリの上面１４の一部分３０がタブ１６の縁部２６、２８、２９とバッテリ１２の周縁部１５との間に露出する。縁部２６、２８、２９を周方向縁部１５から外方へと内側に配置する他の非湾曲手段も本明細書で企図される。例えば、縁部２６、２８、２９は、実質的に直線状の縁部を有することができ、直線状の側壁縁部が、周縁部１５から外方へと内側に配置される。露出面３０は、ユーザが、同時にバッテリ１２からタブ１６を取り外すための剥離力を加えながら、押し下げてバッテリ１２を所望の位置に保持することができる領域を有利に提供する。図４および図６を参照すると、把持領域２２は、バッテリ１２の上面１４の平面に平行である。
【００１０】
図５を参照すると、様々な実施形態において、少なくとも１つの縁部２６、２８、２９は、露出領域３０を提供するために、バッテリ１２の中心に向かって内側に湾曲する。いくつかの実施形態では、補聴器などのデバイスにバッテリを挿入した後、指を使用してバッテリを所定の位置に保持するとき、縁部２６、２８、２９の曲率は親指などの指の曲率を実質的に反映することができる。様々な実施形態では、図に示されるように、第１の側壁２６および第２の側壁２８の両方が内側に湾曲して、バッテリ１２の２つの露出面３０を提供する。図７を参照すると、タブの端縁２９がバッテリの中心に向かって内向きに湾曲している実施形態が示されている。例えば、第１の縁部および／または第２の縁部２６、２８、２９の曲率半径は、約０．１ｍｍ〜約１０ｍｍ、約１ｍｍ〜約５ｍｍ、約６ｍｍ〜約１０ｍｍ、約０．１ｍｍ〜約１ｍｍ、約１ｍｍ〜約８ｍｍ、および約０．３ｍｍ〜約１．５ｍｍとすることができる。他の適切な曲率半径は、約０．１，０．２，０．３，０．４，０．５，０．６，０．７，０．８，０．９，１，１．５，２，２．５，３，３．５，４，４．５，５，５．５，６，６．５，７，７．５，８，８．５，９，９．５，および１０ｍｍを含む。第１の側縁２６および第２の側縁２８の両方が内側に配置されて上面１４の一部分３０を露出する場合、第１の側縁２６および第２の側縁２８は同じまたは異なる曲率半径を有することができる。同様に、端縁２９および側縁２６、２８の一方または両方が内側に湾曲している場合、それらは同じまたは異なる半径または曲率を有することができる。
【００１１】
バッテリ１２の上面１４の約５％〜約７５％を露出させることができ、上面１４の残りの部分は取り外し可能タブ１６で覆われている。上面３０の他の適切な露出量は、約１０％〜約７０％、約１５％〜約６０％、約５％〜約１０％、約１０％〜約２０％、約５％〜約５０％を含む。例えば、バッテリ上面３０の約５、１０、１５、２０、２５、３０、３５、４０、４５、５０、５５、６０、６５、７０、または７５％が露出され得る。上面３０の露出量は、例えば、バッテリのタイプおよびサイズに部分的に依存し得る。例えば、取り外し可能タブ１６によって覆われなければならない上面１４に穴（図示せず）を含む金属／空気バッテリの上面３０の露出量は、上面１４上の穴のサイズおよび構成によって決定され得る。
【００１２】
図４を参照すると、タブ１６の全長は、タブ１６が取り付けられるバッテリ１２のサイズに応じて変わり得る。一般に、取り外し可能タブ１６は、約８ｍｍ〜約４０ｍｍ、約８ｍｍ〜約１５ｍｍ、約２２ｍｍ〜３０ｍｍ、約２５ｍｍ〜３５ｍｍ、約２０ｍｍ〜２５ｍｍ、および約３０ｍｍ〜約３５ｍｍの長さを有することができる。他の適切な長さは、例えば、約８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、および４０ｍｍを含む。
【００１３】
電池取り付け領域２４は、取り外し可能タブ１６が取り付けられるバッテリサイズに応じて、任意の適切な長さＬｂを有することができる。一般に、電池取り付け領域２４は、取り付けられるバッテリ１２（図６に示す）の直径Ｄに対応する長さＬｂを有することができる。例として、一般的な補聴器バッテリの直径は、約５．８ｍｍ、７．９ｍｍ、および１１．６ｍｍを含む。電池取り付け領域２４は、様々な実施形態において実質的に同じまたは同じ長さを有することができる。いくつかの実施形態では、電池取り付け領域２４は、同時に露出状面３０に圧力を加えることによって補聴器のようなデバイス内でバッテリ１２を適所に保持しながら、把持領域２２を介して取り外し可能タブ１６をねじるおよび／または引くことにより、電池取り付け領域２４への剥離力の印加をさらに容易にするように、バッテリ取り付け領域２４の長さが、取り付けられるまたは取り付けられるように適合されているバッテリ１２の直径よりも長くなるように、バッテリ１２の上面１４に対して平行な方向に、バッテリの上面１４の周縁部１５を過ぎて延伸することができる。一般に、電池取り付け領域２４は、約４ｍｍ〜約１５ｍｍ、約５ｍｍ〜約１０ｍｍ、約５．５ｍｍ〜約１２ｍｍ、約４ｍｍ〜約８ｍｍ、および約１０ｍｍ〜約１５ｍｍの長さを有することができる。他の適切な長さは、約４、５、６、７、８、９、１０、１１、１２、１３、１４、および１５ｍｍを含む。
【００１４】
再び図５を参照すると、電池取り付け領域２４は、第１の縁部２６の中心点から第２の縁部２８の中心点まで延伸する直線によって測定される幅Ｗが、約０．２〜約１０ｍｍ、約０．５ｍｍ〜約１０ｍｍ、約０．７〜約５ｍｍ、約１ｍｍ〜約９ｍｍ、約２ｍｍ〜約８ｍｍ、約４ｍｍ〜約６ｍｍ、約５ｍｍ〜約１０ｍｍ、または約０．５ｍｍ〜約６ｍｍであり得る。他の適切な幅は、約０．２、０．３、０．４、０．５、０．６、０．７、０．８、０．９、１、２、３、４、５、６、７、８、９、および１０ｍｍを含む。図示の実施形態では、幅は、第１の縁部２６の湾曲の中心点から第２の縁部２８の湾曲の中心点まで測定される。
【００１５】
図４に戻って参照すると、把持領域２２の長さＬｇは、取り外し可能タブ１６が取り付けられるか、または取り付けられるように適合されたバッテリのサイズに応じて変化することができる。例えば、把持領域２２は、約２ｍｍ〜約３５ｍｍ、約２ｍｍ〜約９ｍｍ、約４ｍｍ〜約２０ｍｍ、約１０ｍｍ〜約３５ｍｍ、約１５ｍｍ〜約３０ｍｍ、約１０ｍｍ〜約２０ｍｍ、約１５ｍｍ〜約２０ｍｍ、約１０ｍｍ〜約１５ｍｍ、約１２ｍｍ〜約１８ｍｍ、および約１３ｍｍ〜約１７ｍｍの長さを有することができる。他の適切な長さは、約２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、および３５ｍｍを含む。
【００１６】
例えば、取り外し可能タブ１６が６７５サイズ電池に施与される場合、把持領域２２は、バッテリ１２の周縁部１５から第１のタブ端部１８まで測定して約１２．７ｍｍ〜約１９．１ｍｍ、または約１５．９ｍｍの長さＬｇを有することができる。別の例示的な実施形態では、タブ１６は、サイズ１０（直径５ｍｍおよび高さ３．５ｍｍを有する）またはサイズ１３（直径７ｍｍおよび高さ５ｍｍを有する）電池などのより小さいサイズのボタン電池に施与することができる。取り外し可能タブ１６は、例えば、６７５サイズ電池の場合と同じ把持領域長を有することができる。様々な取り外し可能タブの長さを提供することもできる。
【００１７】
図に示される実施形態では、把持領域は、電池取り付け領域２４に直に隣接し、バッテリ１２の周縁部から外向きに延伸する。本明細書では、例えば、電池取り付け領域が上述のようにバッテリの周縁部を超えて延伸する場合、把持領域がバッテリの周縁部からある程度の距離をおいて始まることも考えられる。本明細書では、電池取り付け領域２４と把持領域２２との間に中間領域を設けることができることも企図されている。
【００１８】
取り外し可能タブ１６は、約０．１ｍｍ〜約１ｍｍ、約０．５ｍ〜約０．９ｍｍ、約０．２ｍｍ〜約０．８ｍｍ、約０．４ｍｍ〜約１ｍｍ、約０．３ｍｍ〜約０．７ｍｍ、または約０．１ｍｍ〜約０．５ｍｍの厚さを有することができる。他の適切な厚さは、約０．１、０．２、０．３、０．４、０．５、０．６、０．７、０．８、０．９および１ｍｍを含む。
【００１９】
取り外し可能タブ１６は、任意の適切な材料または積層体を含むことができる。例えば、取り外し可能タブ１６は熱可塑性材料を含むことができる。一実施例において、取り外し可能タブ１６は、二軸延伸ポリプロピレン、ポリプロピレン、ポリエチレンテレフタレート、二軸延伸ポリエチレンテレフタレート、ポリエステル、ポリオレフィン、ポリエチレン、および共押出体、積層体、および上記の他の組み合わせから成る群から選択される材料を含むことができる。接着層、結合層、印刷層、強度または剛性強化層、発泡体層、およびそれらの組み合わせなどの任意の数の層を、積層体に含めることができる。例えば、取り外し可能タブ１６は、その開示が参照により本明細書に組み込まれる米国特許第６，３２９，０９５号に記載されているような積層構造を有することができる。
【００２０】
一実施形態では、取り外し可能タブ１６は、タブ１６をバッテリ１２の上面１４に取り付けるために、電池取り付け領域２４内に接着剤を含むことができる。いくつかの実施形態では、接着剤は、把持領域２２内に延伸することができ、把持領域２２の全部または一部のみにわたって配置されたキルテープ（図示せず）などの第２の層によって覆われ得る。適切な接着剤は、アクリル系感圧接着剤などの感圧接着剤を含むが、これらに限定されない。
【００２１】
使用中、消費者は、取り外し可能タブ１６の把持領域２２においてバッテリアセンブリを把持し、バッテリアセンブリ１０をバッテリコンパートメントに挿入することができる。次に、消費者は、取り外し可能タブ１６の縁部２６、２８、２９と周縁部１５との間に配置されたバッテリ１２の上面１４の露出部分３０に圧力を加えながら、剥離力を加えて取り外し可能タブ１６を取り外すことができる。例えば、指を使ってバッテリの上面１４に直接圧力を加えることができるため、消費者は、従来のバッテリタブでそうであったようにタブの一部を押し下げる必要もあることによってバッテリ１６の取り外しと干渉することなく、タブ１６を取り外すために剥離力を加えながら、バッテリ１２をバッテリコンパートメント内の所定の位置に有利に安定させることができる。
【００２２】
様々な実施形態において、取り外し可能タブ１６には、把持領域内にテクスチャ化層またはコーティングを設けることができる。例えば、取り外し可能タブは、少なくとも把持領域２２内で、メインタブ材料の上面または底面に施与されたコーティングまたは追加の材料層を有することができる。テクスチャ化層２２は、約０．６マイクロメートル〜約６マイクロメートル、約０．８マイクロメートル〜約１．８マイクロメートル、約１マイクロメートル〜約２マイクロメートル、約０．７マイクロメートル〜約１．２マイクロメートル、約０．８マイクロメートル〜約１マイクロメートル、約０．６マイクロメートル〜約１．５マイクロメートル、または約１．５マイクロメートル〜約２マイクロメートルの平均表面粗さを有することができる。他の適切な粗さは、約０．６，０．７，０．８，０．９，１，１．１，１．２，１．３，１．４，１．５，１．６，１．７，１．８，１．９，２，２．１，２．２，２．３，２．４，２．５，２．６，２．７，２．８，２．９，３，３．１，３．２，３．３，３．４，３．５，３．６，３．７，３．８，３．９，４，４．１，４．２，４．３，４．４，４．５，４．６，４．７，４．８，４．９．５，５．１，５．２，５．３，５．４，５．５，５．６，５．７，５．８，５．９，および６マイクロメートルを含む。
実施例
【００２３】
本開示の実施形態による６つのサイズ３１２電池タブを作製した。図８Ａおよび図８Ｂは、これらのタブの１つの写真である。タブの寸法を以下の表１に示す。
【表１】
2020522086.tif 000002
【００２４】
本開示の実施形態による６つのサイズ１３電池タブを作製した。図９Ａおよび図９Ｂは、これらのタブの１つの写真である。タブの寸法を以下の表２に示す。図１０Ａは、従来の電池の表１および表２に記載された寸法の位置を示し、図１０Ｂは、本開示によるタブの表１および表２に記載された寸法の位置を示す。
【表２】
2020522086.tif 000003
【００２５】
本明細書において開示されている寸法および値は、記載されている正確な数値に厳密に限定されるように理解されるべきではない。そうではなく、別途指定されない限り、そのような寸法は、記載されている値と、その値を取り巻く機能的に均等な範囲の両方を意味するように意図されている。例えば、「４０ｍｍ」として開示されている寸法は、「約４０ｍｍ」を意味するように意図されている。
【００２６】
任意の相互参照付きのまたは関連特許または出願、および、本出願がその優先権または利益を主張する任意の特許出願または特許は、明確に除外されるか、または、別途限定されない限り、参照によりその全体が本明細書に組み込まれる。任意の文献の引用は、それが、本明細書において開示もしくは特許請求されている任意の実施形態に対する先行技術であること、または、それが単独で、もしくは、任意の他の１つもしくは複数の引用文献と組み合わせて、任意のそのような実施形態を教示、示唆もしくは開示していることを認めるものではない。さらに、本明細書における用語の任意の意味または定義が、参照により組み込まれる文献内の同じ用語の任意の意味または定義と矛盾する限りにおいては、本明細書においてその用語に与えられている意味または定義が優先するものとする。
【００２７】
本開示の特定の実施形態が図示および説明されているが、本開示の趣旨および範囲から逸脱することなく、様々な他の変更および修正を行うことができることが、当業者には明らかであろう。それゆえ、添付の特許請求の範囲において、本開示の範囲内に入るすべてのそのような変更および修正をカバーすることが意図されている。
【図１】
2020522086.tif 000004
【図２】
2020522086.tif 000005
【図３】
2020522086.tif 000006
【図４】
2020522086.tif 000007
【図５】
2020522086.tif 000008
【図６】
2020522086.tif 000009
【図７】
2020522086.tif 000010
【図８Ａ】
2020522086.tif 000011
【図８Ｂ】
2020522086.tif 000012
【図９Ａ】
2020522086.tif 000013
【図９Ｂ】
2020522086.tif 000014
【図１０Ａ】
2020522086.tif 000015
【図１０Ｂ】
2020522086.tif 000016
【国際調査報告】
2020522086.tif 000017
2020522086.tif 000018
2020522086.tif 000019